(57)【要約】アルキルアルコキシル化サルフェート界面活性剤を含む濃縮界面活性剤組成物、及びそのような組成物の製造プロセス。そのような濃縮界面活性剤組成物から製造される洗剤組成物、及びそのような洗剤組成物の製造プロセス。【特許請求の範囲】
【請求項１】
濃縮界面活性剤組成物であって、
前記組成物の４５重量％〜６０重量％の界面活性剤系であって、
前記組成物の３０重量％〜５１重量％のアルキルアルコキシル化サルフェート界面活性剤と、
前記組成物の２重量％〜２１重量％の直鎖アルキルベンゼンスルホネート界面活性剤と、を含む界面活性剤系と、
前記組成物の１５重量％〜２４重量％の有機溶媒系と、
前記組成物の０．５重量％〜５．５重量％のアルカリ化剤と、
水と、から本質的になる、濃縮界面活性剤組成物。
【請求項２】
前記アルキルアルコキシル化サルフェート界面活性剤が、アルキルエトキシル化界面活性剤であり、好ましくは０．８〜３．５、より好ましくは１．５〜３、更により好ましくは１．８〜２．５の重量平均エトキシル化度を有する、請求項１に記載の濃縮界面活性剤組成物。
【請求項３】
前記アルキルアルコキシル化サルフェートが、１０〜１６個の炭素原子、好ましくは１２〜１５個の炭素原子、更により好ましくは１３〜１５個の炭素原子の平均アルキル鎖長を有する、請求項１又は２に記載の濃縮界面活性剤組成物。
【請求項４】
前記アルキルアルコキシル化サルフェート界面活性剤が、１３〜１５個の炭素原子の平均アルキル鎖長、及び１．７〜２．７、好ましくは２．５の平均エトキシル化度を有するアルキルエトキシル化界面活性剤である、請求項１〜３のいずれか一項に記載の濃縮界面活性剤組成物。
【請求項５】
前記アルキルアルコキシル化サルフェート界面活性剤が、前記組成物の３８重量％〜４８重量％、又は４０重量％〜４６重量％の濃度で存在する、請求項１〜４のいずれか一項に記載の濃縮界面活性剤組成物。
【請求項６】
前記直鎖アルキルベンゼンスルホネート界面活性剤が、前記組成物の６重量％〜１６重量％、又は７重量％〜１２重量％の濃度で存在する、請求項１〜５のいずれか一項に記載の濃縮界面活性剤組成物。
【請求項７】
前記直鎖アルキルベンゼンスルホネート界面活性剤が、１０〜１６個、好ましくは１１〜１３個の炭素原子の平均アルキル鎖長を有する、請求項１〜６のいずれか一項に記載の濃縮界面活性剤組成物。
【請求項８】
前記組成物が、４０％〜６０％、好ましくは５０〜５６％の全界面活性剤を含む、請求項１〜７のいずれか一項に記載の濃縮界面活性剤組成物。
【請求項９】
前記組成物が、非イオン性界面活性剤を実質的に含まない、請求項１〜８のいずれか一項に記載の濃縮界面活性剤組成物。
【請求項１０】
前記有機溶媒が、前記組成物の１６重量％〜２２重量％、好ましくは１７重量％〜２０重量％の濃度で存在する、請求項１〜９のいずれか一項に記載の濃縮界面活性剤組成物。
【請求項１１】
前記有機溶媒系が少なくとも２種、又は少なくとも３種の有機溶媒を含む、請求項１〜１０のいずれか一項に記載の濃縮界面活性剤組成物。
【請求項１２】
前記有機溶媒系が、一価アルコール、二価アルコール、ポリアルキレングリコール、多価アルコール、アルコキシル化グリセリン、アルコキシル化ジオール、及びこれらの組み合わせからなる群から選択される溶媒、好ましくは、グリセリン、エタノール、プロパンジオール、ジエチレングリコール、ジプロピレングリコール、ブタンジオール、及びこれらの組み合わせからなる群から選択される溶媒、を含む、請求項１〜１１のいずれか一項に記載の濃縮界面活性剤組成物。
【請求項１３】
前記有機溶媒系がプロパンジオールを含み、直鎖アルキルベンゼンスルホネート界面活性剤とプロパンジオールとの重量比が１：１〜０．４：１である、請求項１２に記載の濃縮界面活性剤組成物。
【請求項１４】
前記組成物が、２５℃で１０ｓ−１で測定して、２０００ｃｐｓ未満、又は１０００ｃｐｓ未満、又は５００ｃｐｓ未満の粘度を有する、請求項１〜１３のいずれか一項に記載の濃縮界面活性剤組成物。
【請求項１５】
請求項１〜１４のいずれか一項に記載の濃縮界面活性剤組成物、並びに洗剤補助剤、好ましくは、追加の界面活性剤、構造化剤、ビルダー、布地用柔軟剤、ポリマー又はオリゴマー、酵素、酵素安定剤、漂白剤系、光沢剤、色相剤、キレート剤、抑泡剤、コンディショニング剤、保湿剤、香料、香料マイクロカプセル、充填剤又は担体、アルカリ性系、ｐＨ調整系、緩衝剤、アルカノールアミン、及びこれらの混合物からなる群から選択される洗剤補助剤、を含む、洗剤組成物。
【発明の詳細な説明】
【技術分野】
【０００１】
本開示は、アルキルアルコキシル化サルフェート界面活性剤を含む濃縮界面活性剤組成物、及びそのような組成物の製造プロセスに関する。本開示は、そのような濃縮界面活性剤組成物から製造される洗剤組成物、及びそのような洗剤組成物の製造プロセスに、更に関する。
【背景技術】
【０００２】
濃縮界面活性剤組成物は、洗濯又は食器用洗剤組成物などの洗剤組成物を製造するのに有用である。それらは高い活性を有するため、比較的効率的に輸送することができる。更に、これらを組み合わせて、他の洗剤成分又は担体で希釈して、所望の活性レベルに達するようにすることができる。
【０００３】
しかしながら、濃縮界面活性剤組成物、特に高比率のアニオン性アルキルアルコキシル化サルフェート界面活性剤を含有するものも、粘度及び／又は安定性の課題を提示する可能性がある。そのような組成物の粘度は比較的高くてもよく、組成物は、例えば鉄道車両から又は貯蔵タンクから製造ラインへと処理すること又は汲み出すことが困難となる。組成物は、相分離に悩まされる可能性もあり、それは最終製品における不一致及び／又は審美的問題をもたらし得る。水で希釈しても、アニオン性アルキルアルコキシル化サルフェート界面活性剤を含む濃縮組成物は、非常に粘性のある六方晶相を形成する可能性があり、それは加工するのが非常に困難であり得る。
【０００４】
粘度及び／又は安定性の問題に対処するために、有機溶媒を濃縮界面活性剤組成物に添加してもよい。しかしながら、有機溶媒は、最終製品においてあまり性能上の利益をもたらさずにコストを増大させる可能性がある。
【発明の概要】
【発明が解決しようとする課題】
【０００５】
比較的高いレベルの活性、比較的低い濃度の有機溶媒を有し、並びに望ましい粘度及び／又は相安定性を有する、改善された濃縮界面活性剤組成物が必要とされている。
【課題を解決するための手段】
【０００６】
本開示は、アルキルアルコキシル化サルフェート界面活性剤を含む濃縮界面活性剤組成物に関する。
【０００７】
本開示は、組成物の約４５重量％〜約６０重量％の界面活性剤系であって、組成物の約３０重量％〜約５１重量％のアルキルアルコキシル化サルフェート界面活性剤と、組成物の約２重量％〜約２１重量％の直鎖アルキルベンゼンスルホネート界面活性剤と、を含む界面活性剤系と、組成物の約１５重量％〜約２４重量％の有機溶媒系と、組成物の約０．５〜約５．５重量％のアルカリ化剤と、水と、から本質的になる濃縮界面活性剤組成物に更に関する。
【０００８】
本開示は、濃縮界面活性剤組成物の製造プロセスに更に関し、そのプロセスは、アルキルアルコキシル化サルフェート界面活性剤、直鎖アルキルベンゼンスルホネート界面活性剤、有機溶媒系、アルカリ化剤、及び水を準備するステップと、本明細書に記載の比率で成分を混合して濃縮界面活性剤組成物を形成するステップと、を含む。
【０００９】
本開示は、本明細書に記載の濃縮界面活性剤組成物及び洗剤補助剤を含む洗剤組成物に、更に関する。
【００１０】
本開示は、液体又はゲル形態の洗剤組成物の製造プロセスに更に関し、そのプロセスは、本明細書に記載の濃縮界面活性剤組成物を準備するステップと、濃縮界面活性剤組成物を少なくとも１種の補助剤と組み合わせて洗剤組成物を形成するステップと、を含む。
【００１１】
本開示は、等方性濃縮界面活性剤組成物を形成するのに必要な有機溶媒の量を低減させるための直鎖アルキルベンゼンスルホネート界面活性剤の使用に、更に関する。
【発明を実施するための形態】
【００１２】
本開示は、アルキルエトキシル化サルフェート界面活性剤（「ＡＥＳ」）などの比較的高濃度のアルキルアルコキシル化サルフェート界面活性剤を含有する、濃縮界面活性剤組成物に関する。濃縮組成物の粘度及び／又は安定性を改善するために有機溶媒を添加することができるが、溶媒は、典型的には、最終組成物に性能効果を加えることなく、組成物にコストを加える。
【００１３】
驚くべきことに、別の界面活性剤、直鎖アルキルベンゼンスルホネート（「ＬＡＳ」）を濃縮組成物に添加して、粘度及び／又は安定性の利益を提供することができ、それによって有機溶媒の濃度を低減させることができることが見出された。ＬＡＳは、ＡＥＳと一緒に最終製品で一般的に使用されており、有機溶剤よりも、最終製品の洗浄効果など、より優れた性能上の利点を提供する。濃縮組成物にＬＡＳを混ぜると、配合スペースを犠牲にするか又は不要なコストを支払うことなく、組成物の活性レベルを比較的高く維持することを可能にする。
【００１４】
本開示の濃縮界面活性剤組成物の成分及び諸特性は、以下により詳細に記載される。
【００１５】
本明細書で使用するとき、特許請求の範囲で使用されるときの「ａ」及び「ａｎ」という冠詞は、特許請求又は記載されているもののうちの１つ以上を意味すると理解される。本明細書で使用するとき、「含む（include）」、「含む（includes）」、及び「含んでいる（including）」という用語は、非限定的であることを意味する。本開示の組成物は、本開示の成分を含み、それらから本質的になり、又はそれらからなることができる。
【００１６】
本明細書では、「実質的に含まない（substantially free of）」又は「実質的に含まない（substantially free from）」という用語が使用され得る。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１種の中に不純物としてのみ存在する、組成物を含むことを意味する。指示される材料は、あったとしても、組成物の１重量％未満、又は０．１重量％未満、又は０．０１重量％未満、又は更には０重量％の濃度で存在してもよい。
【００１７】
本明細書で使用するとき、「柔軟剤布地ケア組成物」という語句は、布地処理用に設計された組成物及び配合物を含む。かかる組成物は、洗濯洗浄組成物及び洗剤、布地柔軟化組成物、布地強化組成物、布地消臭組成物、予洗い用洗剤（laundry prewash）、洗濯前処理剤、洗濯添加剤、スプレー製品、ドライクリーニング剤若しくは組成物、洗濯すすぎ添加剤、洗浄添加剤、すすぎ後布地トリートメント、アイロン助剤、単位用量配合物、遅延送達配合物、多孔性基材若しくは不織布シート上又は中に含有される洗剤、及び本明細書の教示を考慮すると当業者に明白であり得る他の好適な形態を含むが、これらに限定されない。かかる組成物を、洗濯前処理剤、洗濯後処理剤として使用してもよく、あるいは洗濯動作のすすぎ又は洗浄サイクル中に加えてもよい。
【００１８】
酸形態を有し得る界面活性剤に関して本明細書で使用される場合、「中和された」とは、界面活性剤がナトリウム塩などの塩形態であることを意味する。酸形態を有し得る界面活性剤に関して本明細書で使用される場合、「予め中和された」とは、界面活性剤が、開示される組成物の少なくとも１種の他の成分と組み合わされる前に塩形態であることを意味する。１０％水溶液中のそのような（前）中和界面活性剤のｐＨは、約７以上であってもよい。典型的には、アルキルアルコキシル化サルフェート界面活性剤は、サルフェート及びアルコールへの復帰を避けるためにアルカリ化剤で予め中和される。対照的に、ＬＡＳは、典型的には酸性ｐＨで安定であり、したがってそれは酸性として濃縮界面活性剤組成物に添加されてもよく、又は予め中和されてもよい。
【００１９】
本明細書で使用される場合、「等方性」は、透明な混合物（視認できる曇り及び／又は分散粒子を有さない）及び均一な透明な外観を有することを意味する。例えば、本開示の組成物は、染料及び／又は乳白剤の非存在下で、ブランクとして脱イオン水を使用するＢｅｃｋｍａｎ  ＤＵ分光光度計を備えた標準的な１０ｍｍ光路長キュベットを介して、室温で測定した５７０ｎｍの波長で、約８０％を超える、又は約９０％を超える％透過率によって特徴付けることができる。
【００２０】
本明細書で使用するとき、用語「アルコキシ」は、Ｃ１〜Ｃ８アルコキシ、及びブチレンオキシド、グリシドールオキシド、エチレンオキシド又はプロピレンオキシドなどの繰り返し単位を有するポリオールのＣ１〜Ｃ８アルコキシ誘導体を含むことを意図する。本明細書において、用語「エチレンオキシド」、「プロピレンオキシド」及び「ブチレンオキシド」は、それぞれ、これらの典型的な表記である「ＥＯ」、「ＰＯ」及び「ＢＯ」で示される場合がある。
【００２１】
本明細書で使用される場合、「平均分子量」は、その分子量分布によって決定されるように、重量平均分子量として報告され、それらの製造プロセスの結果として、本明細書に開示されるポリマーは、それらのポリマー部分中に繰り返し単位の分布を含有することができる。
【００２２】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００２３】
本明細書における全ての温度は、特に断らない限り、摂氏（℃）を単位とする。特に指示がない限り、本明細書における全ての測定は、２０℃及び大気圧下で行う。
【００２４】
本開示の全ての実施形態において、全ての比率（％）は、特に記載のない限り、全組成物の重量に対するものである。特に記載のない限り、全ての比は重量比である。
【００２５】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含む。
【００２６】
濃縮界面活性剤組成物
本開示は濃縮界面活性剤組成物に関する。本明細書に記載の組成物は、最終製品を形成するために他の成分と組み合わされることを意図した中間組成物であってもよい。本開示の濃縮界面活性剤組成物は、界面活性剤ペーストと見なされることがある。
【００２７】
濃縮界面活性剤組成物は、アルキルアルコキシル化サルフェート界面活性剤及び直鎖アルキルベンゼンスルホネート界面活性剤を含み得る界面活性剤系、有機溶媒系、アルカリ化剤、及び水の成分を含んでもよく、それらから本質的になってもよく、又はそれらからなっていてもよい。これらの成分は、以下により詳細に記載される。
【００２８】
濃縮界面活性剤組成物は、組成物の約３０重量％〜約５１重量％のアルキルアルコキシル化サルフェート界面活性剤と、組成物の約２重量％〜約２１重量％の直鎖アルキルベンゼンスルホネート界面活性剤と、を含む界面活性剤系と、組成物の約１５重量％〜約２４重量％の有機溶媒系と、組成物の約０．５重量％〜約５．５重量％のアルカリ化剤と、水と、を含む界面活性剤系から本質的になることができる。
【００２９】
濃縮界面活性剤組成物は、組成物の約３０重量％〜約５１重量％のアルキルアルコキシル化サルフェート界面活性剤と、組成物の約２重量％〜約２１重量％の直鎖アルキルベンゼンスルホネート界面活性剤と、組成物の約１５重量％〜約２４重量％の有機溶媒系と、組成物の約０．５重量％〜約５．５重量％のアルカリ化剤と、水と、を含むことができ、組成物は、２種以下、又は１種以下の追加の成分を含む。組成物は、ポリアルキレンイミン（ＰＥＩ）ポリマー、好ましくはアルコキシル化ＰＥＩを更に含んでもよい。
【００３０】
濃縮界面活性剤組成物は、組成物の約３０重量％〜約５１重量％のナトリウム中和アルキルアルコキシル化サルフェート界面活性剤と、組成物の約２重量％〜約２１重量％のナトリウム中和直鎖アルキルベンゼンスルホネート界面活性剤と、組成物の約１５重量％〜約２４重量％の有機溶媒系と、任意選択で、好ましくは組成物の約０．１重量％〜約１重量％の量で存在する、ナトリウム含有アルカリ化剤と、水と、を含む界面活性剤系から本質的になっていてもよい。
【００３１】
濃縮界面活性剤組成物は、液体、ゲル、及び／又はペーストの形態であってもよい。典型的には、濃縮界面活性剤組成物は、粒状又は粉末組成物などの固体組成物ではない。濃縮界面活性剤組成物は非微粒子であってもよい。濃縮界面活性剤組成物は、２５℃で１０ｓ−１で測定して、約２０００ｃｐｓ未満、又は約１０００ｃｐｓ未満、又は約５００ｃｐｓ未満の粘度を有し得る。濃縮界面活性剤組成物は、２５℃で１０ｓ−１で測定して、約１〜約２０００ｃｐｓ、又は約１０〜約１０００ｃｐｓ、又は約１０〜約５００ｃｐｓの粘度を有し得る。比較的低い粘度を有することにより、組成物の輸送、汲み出し、及び／又は処理を容易にすることができる。例えば、濃縮組成物の粘度は、組成物が鉄道車両から車両の上部又は下部を介して汲み出されるかどうかに影響を及ぼし得る。
【００３２】
濃縮界面活性剤組成物は、相安定性であり、及び／又は透明な外観を有することが望ましい場合があり、そのような組成物は処理がより容易であり、及び／又は最終製品への組み込みがより容易であり得る。濃縮界面活性剤組成物は等方性であってもよく、これは組成物が相安定性であることを示し得る。濃縮界面活性剤組成物は、２０℃で２週間後、及び／又は４０℃で２週間後に、単相の等方性溶液として残存し得る。濃縮界面活性剤組成物は、少なくとも約８０％、又は少なくとも約８５％、又は少なくとも約９０％、又は少なくとも約９５％、又は少なくとも約９８％、又は少なくとも約９９％の、５７０ｎｍにおけるパーセント透過率（％Ｔ）を有することができる。パーセント透過率は、以下の試験方法のセクションに提供されるパーセント透過率法に従って決定される。
【００３３】
濃縮界面活性剤組成物は、２０±２℃で組成物の１０％（重量／体積）溶液中でアルカリ性ｐＨを有することができる。濃縮界面活性剤組成物は、２０±２℃で組成物の１０％（重量／容量）溶液中で約９〜約１３、又は好ましくは約１０〜約１３のｐＨを有することができる。
【００３４】
濃縮界面活性剤組成物は、予備アルカリ度（ＲＡ）値によって特徴付けることができる。ＲＡは、洗剤組成物の１％（ｗ／ｖ）溶液を塩酸でｐＨ７．５に滴定することによって決定される洗剤組成物の緩衝能力（ｇ／ＮａＯＨ／１００ｇの洗剤組成物）の尺度であり、下記の試験方法のセクションにおいて提供される方法に従って決定される。濃縮界面活性剤組成物は、約０．３〜約０．９、又は約０．４５〜約０．７５の予備アルカリ度を有し得る。そのような予備アルカリ度は、本明細書に記載の組成物のアルカリ性ｐＨを維持するのに役立ち得る。アルキルアルコキシル化サルフェート界面活性剤は酸性環境で酸触媒加水分解反応を受けることができるので、そのような界面活性剤を含む組成物が特定の予備アルカリ度を有することが特に望ましい可能性がある。
【００３５】
界面活性剤系
本明細書に記載の濃縮界面活性剤組成物は、界面活性剤系を有する。濃縮界面活性剤組成物は、組成物の約４０重量％〜約６０重量％、又は約４５重量％〜約６０重量、又は約５０重量％〜約６０重量の界面活性剤系を含んでもよい。濃縮界面活性剤組成物は、組成物の約４０重量％から、又は約４５重量％から、又は約５５重量％から、約６０重量％まで、又は約５６重量％まで、又は約５５重量％まで、又は約５３重量％まで、又は約５０重量％までの界面活性剤系を含んでもよい。濃縮界面活性剤系は、組成物の約４５重量％〜約６０重量％、又は約５０重量％〜約６０重量％、又は約５５重量％〜約６０重量％の全界面活性剤を含み得る。
【００３６】
界面活性剤系は、アニオン性界面活性剤を含むことができる。界面活性剤系のアニオン性界面活性剤は、アルキルアルコキシル化サルフェート界面活性剤、直鎖アルキルベンゼンスルホネート界面活性剤、若しくはそれらの混合物を含んでもよく、又はそれらから本質的になってもよい。界面活性剤系は、非イオン性界面活性剤、カチオン性界面活性剤、両性界面活性剤、及び／又は両性イオン性界面活性剤を実質的に含まなくてもよい。界面活性剤系は、非イオン性界面活性剤を実質的に含まなくてもよい。
【００３７】
界面活性剤系は、本質的に２種以下の界面活性剤からなることができる。しかしながら、界面活性剤系は、例えば、原料投入量、加水分解反応生成物、若しくは界面活性剤系の大部分を構成する界面活性剤に関連する他の不純物の小部分、又は他の不純物を含み得ることが認識される。
【００３８】
界面活性剤系中に存在する界面活性剤は、酸形態で部分的に若しくは完全にのいずれかで、又は塩、典型的には水溶性塩として存在してもよい。適切な対イオンとしては、アルカリ金属カチオン又はアンモニウム若しくは置換アンモニウムが挙げられるが、典型的にはナトリウムが挙げられる。界面活性剤は、別々に又は一緒にのいずれかで、濃縮界面活性剤系の他の成分のうちの１種以上と組み合わされる前に予め中和されてもよい。
【００３９】
アルキルアルコキシル化サルフェート
界面活性剤系は、アルキルアルコキシル化サルフェート界面活性剤を含んでもよい。アルキルアルコキシル化界面活性剤は、界面活性剤系の主要部分であってよい。アルキルアルコキシル化界面活性剤は直鎖状、分枝状、又はこれらの組み合わせであってよい。
【００４０】
アルキルアルコキシル化サルフェート界面活性剤は、組成物の約３０重量％〜約５１重量％、又は約３８重量％〜約４８重量％、又は約４０重量％〜４６重量％の濃度で存在してもよい。
【００４１】
アルキルアルコキシル化サルフェート界面活性剤は、アルキルエトキシル化サルフェート界面活性剤、アルキルプロポキシル化界面活性剤、又はこれらの混合物、好ましくはアルキルエトキシル化サルフェート界面活性剤であってもよい。アルキルアルコキシル化サルフェート界面活性剤は、約０．８〜約３．５、より好ましくは約１．５〜約３、更により好ましくは約１．８〜約２．５の重量平均アルコキシル化度、好ましくはエトキシル化度を有してもよい。
【００４２】
アルキルアルコキシル化サルフェート界面活性剤がアルキルアルコキシル化サルフェート界面活性剤の混合物である場合、アルコキシル化度は、混合物の全成分の重量平均アルコキシル化度（重量平均アルコキシル化度）である。重量平均アルコキシル化度の計算において、アルコキシル化基を有さないアルキルアルコキシル化サルフェート界面活性剤成分の重量も含まれるべきである。重量平均アルコキシル化度は、以下の方法で計算される：
重量平均アルコキシ化度＝（ｘ１＊界面活性剤１のアルコキシ化度＋ｘ２＊界面活性剤２のアルコキシ化度＋．．．．）／（ｘ１＋ｘ２＋．．．．）
式中、ｘ１、ｘ２、．．．は、混合物の各サルフェート化アニオン性界面活性剤のグラム単位の重量であり、アルコキシル化度は、各サルフェート化アニオン性界面活性剤のアルコキシ基の数である。
【００４３】
アルキルアルコキシル化サルフェート界面活性剤は、狭い範囲のエトキシル化を有するアルキルエトキシル化界面活性剤であってもよい。アルキルエトキシル化界面活性剤は、アルキルエトキシル化界面活性剤の分布を含むことができ、全アルキルエトキシル化界面活性剤の約７重量％未満が、ｎ≧３を有するアルキルエトキシル化界面活性剤であり、全アルキルエトキシル化界面活性剤の約３５重量％未満が、ｎ＝０を有するアルキルエトキシル化界面活性剤であり、式中ｎは界面活性剤中のエトキシレート（ＥＯ）基の数（ＡＥｎＳ）である。
【００４４】
アルキルアルコキシル化サルフェートは、約８〜約１８個、又は約１０〜約１６個の炭素原子、好ましくは約１２〜約１５個の炭素原子、更により好ましくは約１３〜約１５個の炭素原子の重量平均アルキル鎖長を有し得る。
【００４５】
アルキルアルコキシル化サルフェートは、約１４〜約１５個の炭素原子の平均アルキル鎖長、及び約１．７〜約２．７、好ましくは約２．５の平均エトキシル化度を有するアルキルエトキシル化界面活性剤であってもよい。アルキルアルコキシル化サルフェートは、炭素数１４〜１５の重量平均アルキル鎖長及び２．５の重量平均エトキシル化度を有するＣ４５  ＡＥ２．５Ｓであってもよい。
【００４６】
アルキルアルコキシル化サルフェートが分枝アルキルアルコキシル化サルフェートである場合、分枝基はアルキルであってもよい。アルキルは、メチル、エチル、プロピル、ブチル、ペンチル、環状アルキル基及びこれらの混合物から選択することができる。単一又は複数のアルキル分枝が、本発明の洗剤で使用されるサルフェート化アニオン性界面活性剤を作製するために使用される出発アルコールのヒドロカルビル主鎖に存在することができる。分枝アルキルアルコキシル化サルフェート化アニオン性界面活性剤は、アルキルエトキシサルフェートであってもよい。分枝の濃度は、１％〜９６％、好ましくは１％〜５０％、５％〜２５％、５０％〜７０％又は１５％〜２５％の範囲であり得る。アルキルアルコキシル化サルフェートは、分枝を含まなくてもよい。
【００４７】
アルキルアルコキシル化サルフェート界面活性剤は、様々な鎖長、エトキシル化度及び分枝度で市販されている。市販されているサルフェートとしては、Ｓｈｅｌｌ社製のＮｅｏｄｏｌアルコール、Ｓａｓｏｌ社製のＬｉａｌ−Ｉｓａｌｃｈｅｍｌ及びＳａｆｏｌ、Ｐｒｏｃｔｅｒ  ＆  Ｇａｍｂｌｅ  Ｃｈｅｍｉｃａｌｓ社製の天然アルコールをベースにしたものが挙げられる。
【００４８】
直鎖アルキルベンゼンスルホネート
界面活性剤系は、直鎖アルキルベンゼンスルホネート界面活性剤（ＬＡＳ）を含んでもよい。直鎖アルキルベンゼンスルホネート界面活性剤は、組成物の約６重量％〜約１６重量％、又は約７重量％〜約１２重量％の濃度で存在し得る。
【００４９】
直鎖アルキルベンゼンスルホネート界面活性剤は、約１０〜約１６個、好ましくは約１１〜約１３個の炭素原子の重量平均アルキル鎖長を有する。ＬＡＳの重量平均アルキル鎖長は、約１１．８個の炭素であり得る。ＬＡＳは、酸形態又は塩として、好ましくはナトリウム塩として存在してもよい。
【００５０】
適切なアルキルベンゼンスルホネート（ＬＡＳ）は入手可能であり、好ましくは市販の直鎖アルキルベンゼン（ＬＡＢ）をスルホン化することによって得られる。好適なＬＡＢとしては、Ｓａｓｏｌによって商標名Ｉｓｏｃｈｅｍ（登録商標）として供給されているもの又はＰｅｔｒｅｓａによって商標名Ｐｅｔｒｅｌａｂ（登録商標）として供給されているものなどの低２−フェニルＬＡＢが挙げられ、他の好適なＬＡＢとしては、Ｓａｓｏｌによって商標名Ｈｙｂｌｅｎｅ（登録商標）として供給されているものなどの高２−フェニルＬＡＢが挙げられる。適切なアニオン性洗浄界面活性剤は、ＤＥＴＡＬ触媒プロセスによって得られるアルキルベンゼンスルホネートであるが、フッ化水素酸（ＨＦ）によって触媒されるものなどの他の合成経路も適切であり得る。
【００５１】
界面活性剤系中のＡＥＳとＬＡＳとの重量比は、約２５：１〜約１：１、又は約２０：１〜約１．５：１、又は約１５：１〜約３：１、又は約１０：１〜約５：１、又は約７：１から約６：１の範囲であってもよい。
【００５２】
有機溶媒系
本開示の濃縮界面活性剤系は、有機溶媒系を含み得る。有機溶媒系は、本開示の組成物における望ましい粘度及び安定性プロファイルに寄与することができる。しかしながら、溶媒は、最終生成物の性能上の利点にほとんど寄与しないので、依然として所望の粘度及び／又は安定性を維持しながら、溶媒系の量をできるだけ少なく保つことが望ましい場合がある。
【００５３】
有機溶媒系は、組成物の約１５重量％〜約２４重量％、又は約１６重量％〜約２２重量％、好ましくは１７重量％〜約２０重量％の濃度で存在し得る。界面活性剤系と有機溶媒系との重量比は、約３：１〜約５：１、又は約３．２５：１〜約４：１、又は約３．５：１であり得る。アルキルアルコキシル化サルフェート界面活性剤と有機溶媒系との重量比は、約２．７５：１〜約４：１、又は約２．９：１〜約３．５：１、又は約３：１であり得る。ＬＡＳと有機溶媒系との重量比は、約０．１：１〜約２：１であり得る。
【００５４】
有機溶媒は、少なくとも１種、又は少なくとも２種、又は少なくとも３種の有機溶媒を含み得る。有機溶媒系は、４種以下、又は３種以下、又は２種以下、又は１種以下の有機溶媒を含んでもよい。
【００５５】
有機溶媒系は、エタノール、プロパノール、ブタノール、イソプロパノールなどの一価アルコール、ジエチレングリコール、プロパンジオール、ブタンジオール及びジオールなどの二価アルコール（当該ジオールに存在するヒドロキシル基は隣接する原子に結合している）、ポリエチレングリコールなどのポリアルキレングリコール、グリセリンなどの多価アルコール、アルコキシル化グリセリン、アルコキシル化ジオール、及びこれらの組み合わせ、からなる群から選択される溶媒を含み得る。有機溶媒系は、グリセリン、エタノール、プロパンジオール、ジエチレングリコール、ジプロピレングリコール、ブタンジオール、及びこれらの組み合わせからなる群から選択される溶媒を含み得る。
【００５６】
有機溶媒系はプロパンジオールを含んでもよい。直鎖アルキルベンゼンスルホネート界面活性剤とプロパンジオールとの重量比は、約２：１〜約０．４：１である。
【００５７】
有機溶媒系は、プロパンジオール及びジエチレングリコールを含んでもよい。プロパンジオールとジエチレングリコールとの重量比は、約１：２〜約４：１であってもよい。あるいは、有機溶媒系は、ジエチレングリコールを実質的に含まなくてもよい。
【００５８】
有機溶媒系は、プロパンジオール及びエタノールを含むことができる。プロパンジオールとエタノールとの重量比は、約１：１〜約２．５：１、又は約１．０５：１〜約２．１１：１、又は約１．５：１〜約２．１：１であってもよい。
【００５９】
有機溶媒系は、アミノ官能性有機溶媒を実質的に含まなくてもよい。
【００６０】
アルカリ化剤
本開示の濃縮界面活性剤組成物はアルカリ化剤を含んでもよい。濃縮界面活性剤組成物は、約０．５％〜約５．５％のアルカリ化剤を含んでもよい。アルカリ化剤は、界面活性剤を中和するのに十分な濃度で濃縮界面活性剤組成物中に存在してもよい。界面活性剤が中和される場合、それらが予め中和された組成物に入るか、又はアルカリ化剤の添加によって中和されるかに関わらず、少量の過剰なアルカリ化剤が、組成物中に、例えば、濃縮界面活性剤組成物の約０．１重量％〜約１重量％で存在してもよい。
【００６１】
アルカリ化剤は苛性剤であってもよい。適切な苛性剤としては、アルカリ金属水酸化物、アルカリ土類金属水酸化物、アンモニウム（置換若しくは非置換）水酸化物、又はこれらの混合物を挙げることができる。アルカリ化剤は、アルカリ金属水酸化物、好ましくは水酸化ナトリウムであってよい。
【００６２】
アルカリ化剤は、モノエタノールアミン（ＭＥＡ）又はトリエタノールアミン（ＴＥＡ）などのアルカノールアミンであってもよい。
【００６３】
水
本開示の濃縮界面活性剤組成物は、水を含有してもよい。水は、有機溶媒系に加えて界面活性剤系の溶媒として作用することができる。本発明の濃縮組成物を配合する場合、そうでなければ必要であり得る有機溶媒系の一部は、水で置き換えられてもよい。水は、典型的には、ヘビーデューティ液体洗剤組成物などの少なくともいくつかの最終洗剤製品中に存在し、典型的には有機溶媒よりも低コストである。
【００６４】
本開示の濃縮界面活性剤組成物は、バランスを取るための水と共に、本明細書に記載の成分（界面活性剤系、有機溶媒系、及びアルカリ化剤を含む）を含有することができる。本開示の濃縮界面活性剤組成物は、組成物の約２０重量％〜約３７重量％、又は約２１重量％〜約３５重量％、又は約２３重量％〜約３２重量％の水を含み得る。
【００６５】
水は、遊離水又は純水として添加されてもよい。いくつかの態様において、水は、他の成分の構成要素として、例えば水酸化ナトリウム又は有機酸の担体として組成物に入る。水は、組成物中の酸の中和から、例えば、酸性型アルキルエトキシル化サルフェート（ＨＡＥＳ）又は酸性型ＬＡＳ（ＨＬＡＳ）からも形成され得ることが理解される。
【００６６】
その他の成分
本明細書に記載の濃縮界面活性剤組成物は、典型的には成分の数が限定されるが、適切な場合には他の成分を含んでもよい。適切な成分としては、ポリマー、抗菌剤、他の界面活性剤（分枝状アニオン性界面活性剤及び／又はアミンオキシドを含む）、ヒドロトロープ（クメン硫酸ナトリウムなど）、脂肪酸及び／若しくはそれらの塩、又は前述のいずれかの混合物を挙げることができる。
【００６７】
濃縮界面活性剤組成物は、ポリマーを含んでもよい。ポリマーは、最終的な最終使用洗剤組成物において性能効果を提供することができる。ポリマーは、ポリアルキレンイミンポリマー、好ましくはポリエチレンイミン（ＰＥＩ）ポリマーであり得る。ＰＥＩポリマーは、アルコキシル化ＰＥＩポリマーであり得る。アルコキシル化ＰＥＩポリマーは、プロポキシ基を含まなくてもよいエトキシル化ＰＥＩポリマーであり得る。ＰＥＩは直鎖又は分枝鎖、好ましくは分枝鎖であり得る。いくつかの適切な化合物を調製するのに使用されるＰＥＩは、少なくとも約１４のエチレンイミン単位を表す、約４００〜約１５００、又は約５００〜約１０００、又は約６００の、エトキシル化前の重量平均分子量を有することができる。ポリマーは、エトキシル化鎖あたりの平均エトキシル化度が約１５〜約２５、又は約１８〜約２２、又は約２０であるエトキシル化ポリエチレンイミンであり得る。適切な例としては、ＢＡＳＦから入手可能なＰＥＩ  ６００  Ｅ２０が挙げられる。ポリマーは、濃縮界面活性剤組成物の約１重量％〜約５重量％、又は約２重量％〜約４．１重量％の濃度で濃縮界面活性剤組成物中に存在してもよい。
【００６８】
他の好適なアルコキシル化ポリアルキレンイミンポリマーとしては、プロポキシル化ポリアルキレンイミン（例えば、ＰＥＩ）ポリマーを挙げることができる。プロポキシル化ポリアルキレンイミン（例えば、ＰＥＩ）ポリマーも、エトキシル化することができる。プロポキシル化ポリアルキレンイミン（例えば、ＰＥＩ）ポリマーは、内側ポリエチレンオキシドブロック及び外側ポリプロピレンオキシドブロックを有することができ、エトキシル化度及びプロポキシル化度は、特定の制限値を上回りも下回りもしない。ポリエチレンブロックとポリプロピレンブロックとの比（ｎ／ｐ）は、約０．６から、又は約０．８から、又は約１から、最大約１０、又は最大約５、又は最大約３であることができる。ｎ／ｐ比率は、約２であり得る。プロポキシル化ポリアルキレンイミンは、約２００ｇ／ｍｏｌ〜約１２００ｇ／ｍｏｌ、又は約４００ｇ／ｍｏｌ〜約８００ｇ／ｍｏｌ、又は約６００ｇ／ｍｏｌの分子量（アルコキシル化前）を有するＰＥＩ主鎖を有することができる。プロポキシル化ポリアルキレンイミンの分子量は、約８，０００〜約２０，０００ｇ／ｍｏｌ、又は約１０，０００〜約１５，０００ｇ／ｍｏｌ、又は約１２，０００ｇ／ｍｏｌであることができる。
【００６９】
適切なプロポキシル化ポリアルキレンイミンポリマーは、以下の構造の化合物を含むことができる：
【００７０】
【化１】
2020502334.tif 000002
式中、ＥＯは、エトキシレート基であり、ＰＯは、プロポキシレート基である。上記の化合物はＰＥＩであり、ＥＯ：ＰＯのモル比は１０：５（例えば、２：１）である。他の類似の適切な化合物としては、約１０：５又は約２４：１６のモル比で存在するＥＯ及びＰＯ基を挙げることができる。
【００７１】
洗剤組成物
本開示の濃縮界面活性剤組成物は、消費者又は施設に販売され、使用されることを意図した最終製品洗剤組成物の製造に有用である。したがって、本開示は洗剤組成物にも関する。本開示の洗剤組成物は、本明細書に記載されるような濃縮界面活性剤組成物、及び洗剤補助剤を含むことができる。
【００７２】
洗剤組成物は、液体、ゲル、又はペーストからなる群から選択される形態を有してもよい。洗剤組成物は布地ケア組成物であってもよい。洗剤組成物は、液体洗濯洗剤、ゲル洗剤、液体手洗い食器洗い組成物、洗濯前処理製品、又はこれらの混合物であってもよい。
【００７３】
洗剤組成物は、洗剤組成物の約１８重量〜約７６重量％の濃縮界面活性剤組成物を含むことができる。洗剤組成物は、洗剤組成物の約５重量％〜約４０重量％の界面活性剤を洗剤組成物に提供するのに十分な量の濃縮界面活性剤組成物を含み得る。
【００７４】
洗剤組成物は洗剤補助剤を含んでもよい。任意の適切な洗剤補助剤を添加してもよい。洗剤補助剤は、追加の界面活性剤、構造化剤、ビルダー、布地柔軟剤、ポリマー又はオリゴマー、酵素、酵素安定剤、漂白剤系、光沢剤、色相剤、キレート剤、抑泡剤、コンディショニング剤、保湿剤、香料、香料マイクロカプセル、充填剤又は担体、アルカリ性系、ｐＨ調整系、緩衝剤、アルカノールアミン、及びこれらの混合物からなる群から選択することができる。
【００７５】
洗剤補助剤は追加の界面活性剤を含むことができる。追加の界面活性剤は、アニオン性界面活性剤、非イオン性界面活性剤、両性界面活性剤、カチオン性界面活性剤、両性界面活性剤、及びこれらの組み合わせから選択することができる。好適なアニオン性界面活性剤は、追加のＬＡＳ又は分枝状アニオン性界面活性剤を含んでもよい。適切な非イオン性界面活性剤は、エトキシル化アルコール界面活性剤を含んでもよい。好適な双性イオン性界面活性剤は、アミンオキシドを含んでもよい。
【００７６】
濃縮界面活性剤組成物の製造プロセス
本開示は、本明細書に開示の濃縮界面活性剤組成物の製造プロセスに関する。そのプロセスは、アルキルアルコキシル化サルフェート界面活性剤、直鎖アルキルベンゼンスルホネート界面活性剤、有機溶媒系、アルカリ化剤、及び水を準備するステップと、以下の割合で成分を組み合わせて、濃縮界面活性剤組成物を形成するステップと、を含むことができる：組成物の約３０重量％〜約５１重量％のアルキルアルコキシル化サルフェート界面活性剤と組成物の約２重量％〜約２１重量％の直鎖アルキルベンゼンスルホネート界面活性剤、組成物の約１５重量％〜約２４重量％の有機溶媒系、組成物の約０．５重量％〜約５．５重量％のアルカリ化剤、及び、残部水。
【００７７】
そのプロセスは、予め中和された、好ましくはナトリウムで予め中和された、形態のアルキルアルコキシル化サルフェート界面活性剤及び／又は直鎖アルキルベンゼンスルホネート界面活性剤を準備するステップを含んでもよい。そのプロセスは、アルキルアルコキシル化サルフェート界面活性剤及び／又は直鎖アルキルベンゼンスルホネート界面活性剤をアルカリ化剤と組み合わせて、有機溶媒系と組み合わせる前に界面活性剤を予め中和するステップを含んでもよい。組成物は、界面活性剤が予め中和されているものとして提供されているか否かにかかわらず、界面活性剤を中和するのに必要な量を超えて、少量のアルカリ化剤、好ましくは水酸化ナトリウムなどの苛性アルカリ化剤を含むことができる。したがって、濃縮界面活性剤組成物は、濃縮界面活性剤組成物の約０．１重量％〜約１重量％のアルカリ化剤、好ましくは水酸化ナトリウムなどの苛性アルカリ化剤を含むことができる。ｐＨをより厳しく制御することができるように、界面活性剤を予め中和することが望ましい場合がある。
【００７８】
濃縮界面活性剤組成物の製造プロセスは、予め中和されたアルキルアルコキシル化サルフェート界面活性剤、予め中和された直鎖アルキルベンゼンスルホネート界面活性剤、有機溶媒系、アルカリ化剤、及び水を準備するステップと、以下の割合で成分を組み合わせて濃縮界面活性剤組成物を形成するステップと、を含むことができる：組成物の約３０重量％〜約５１重量％の中和アルキルアルコキシル化サルフェート界面活性剤と、組成物の約２重量％〜約２１重量％の中和直鎖アルキルベンゼンスルホネート界面活性剤、組成物の約１５重量％〜約２４重量％の有機溶媒系、組成物の約０．１〜約１重量％のアルカリ化剤、及び残部水。
【００７９】
洗剤組成物の製造プロセス
本開示は、本明細書に開示される液体又はゲル状洗剤組成物などの洗剤組成物の製造プロセスに関する。プロセスは、本明細書に記載の濃縮界面活性剤組成物を準備するステップと、濃縮界面活性剤組成物を少なくとも１種の補助剤と組み合わせて洗剤組成物を形成するステップと、を含むことができる。
【００８０】
濃縮界面活性剤組成物を提供するステップは、第１の位置で濃縮界面活性剤組成物を調製するステップと、第２の位置に濃縮界面活性剤組成物を輸送するステップと、を含むことができ、組み合わせるステップは第２の位置で行われる。輸送は鉄道車両によって行われてもよい。
【００８１】
本プロセスの濃縮界面活性剤組成物は、組成物の約３０重量％〜約５１重量％のアルキルアルコキシル化サルフェート界面活性剤と、組成物の約２重量％〜約２１重量％の直鎖アルキルベンゼンスルホネート界面活性剤と、組成物の約１５重量％〜約２４重量％の有機溶媒系と、組成物の約０．５重量％〜約５．５重量％のアルカリ化剤と、水と、から本質的になることができる。界面活性剤は予め中和されてもよく、その場合、アルカリ化剤は、濃縮界面活性剤組成物の約０．１重量％〜約１重量％の濃度で存在してもよい。
【００８２】
本開示の濃縮界面活性剤組成物は、異なる最終用途洗剤組成物に組み込まれ得る界面活性剤中間体として有用である。したがって、本開示は、複数の洗剤組成物の製造プロセスに関し、そのプロセスは、本明細書に記載の濃縮界面活性剤組成物の第１の部分を準備するステップと、第１の部分を第１の洗剤補助剤と組み合わせて第１の洗剤組成物を形成するステップと、本明細書に記載の濃縮界面活性剤組成物の第２の部分を準備するステップと、第２の部分を第２の洗剤補助剤と混合して、第１の洗剤組成物とは組成的に異なる第２の洗剤組成物を形成するステップと、を含む。本明細書に記載のプロセスでは、濃縮界面活性剤組成物は、単一のバッチで提供され、次いで第１の部分と第２の部分に分割されてもよいが、必ずしもそうである必要はない。第１の部分と第２の部分は、別個の場所又は別個の時間として製造される別個のバッチとして提供されてもよい。
【００８３】
第２の洗剤組成物は、添加される補助剤、補助剤及び／又は濃縮界面活性剤組成物が添加される相対比率、ｐＨ、審美性（色及び／又は香料を含む）、又は任意の他の適切な組成の違いの点で、第１の洗剤組成物と異なってもよい。
【００８４】
直鎖アルキルベンゼンスルホネートの使用
本開示は、等方性濃縮界面活性剤組成物を形成するのに必要な有機溶媒の量を低減させるための直鎖アルキルベンゼンスルホネート界面活性剤の使用に関し、組成物は、組成物の約３０重量％〜約５１重量％のナトリウム中和アルキルアルコキシル化サルフェート界面活性剤を含む。
【００８５】
組み合わせ
本開示の具体的に想到される組み合わせを、ここで以下のアルファベットを付した段落に記載する。これらの組み合わせは、事実上例示的なものであり、制限的であることを意図したものではない。
【００８６】
Ａ．組成物の約４５重量％〜約６０重量％の界面活性剤系であって、組成物の約３０重量％〜約５１重量％のアルキルアルコキシル化サルフェート界面活性剤と、組成物の約２重量％〜約２１重量％の直鎖アルキルベンゼンスルホネート界面活性剤と、を含む界面活性剤系と、組成物の約１５重量％〜約２４重量％の有機溶媒系と、組成物の約０．５重量％〜約５．５重量％のアルカリ化剤と、水と、から本質的になる濃縮界面活性剤組成物。
Ｂ．アルキルアルコキシル化サルフェート界面活性剤が、アルキルエトキシル化界面活性剤であり、好ましくは約０．８〜約３．５、より好ましくは約１．５〜約３、更により好ましくは約１．８〜約２．５の重量平均エトキシル化度を有する、段落Ａに記載の濃縮界面活性剤組成物。
Ｃ．アルキルアルコキシル化サルフェートが、約１０〜約１６個の炭素原子、好ましくは約１２〜約１５個の炭素原子、更により好ましくは約１３〜約１５個の炭素原子の平均アルキル鎖長を有する、段落Ａ又はＢに記載の濃縮界面活性剤組成物。
Ｄ．アルキルアルコキシル化サルフェート界面活性剤が、約１３〜約１５個の炭素原子の平均アルキル鎖長、及び約１．７〜約２．７、好ましくは約２．５の平均エトキシル化度を有するアルキルエトキシル化界面活性剤である、段落Ａ〜Ｃのいずれかに記載の濃縮界面活性剤組成物。
Ｅ．アルキルアルコキシル化サルフェート界面活性剤が、組成物の約３８重量％〜約４８重量％、又は約４０重量％〜４６重量％の濃度で存在する、段落Ａ〜Ｄのいずれかに記載の濃縮界面活性剤組成物。
Ｆ．直鎖アルキルベンゼンスルホネート界面活性剤が、組成物の約６重量％〜約１６重量％、又は約７重量％〜約１２重量％の濃度で存在する、段落Ａ〜Ｅのいずれかに記載の濃縮界面活性剤組成物。
Ｇ．直鎖アルキルベンゼンスルホネート界面活性剤が、約１０〜約１６個、好ましくは約１１〜約１３個の炭素原子の平均アルキル鎖長を有する、段落Ａ〜Ｆのいずれかに記載の濃縮界面活性剤組成物。
Ｈ．組成物が約４０％〜約６０％、好ましくは５０〜約５６％の全界面活性剤を含む、段落Ａ〜Ｇのいずれかに記載の濃縮界面活性剤組成物。
Ｉ．組成物が非イオン性界面活性剤を実質的に含まない、段落Ａ〜Ｈのいずれかに記載の濃縮界面活性剤組成物。
Ｊ．有機溶媒が組成物の約１６重量％〜約２２重量％、好ましくは１７重量％〜約２０重量％の濃度で存在する、段落Ａ〜Ｉのいずれかに記載の濃縮界面活性剤組成物。
Ｋ．有機溶媒系が少なくとも２種、又は少なくとも３種の有機溶媒を含む、段落Ａ〜Ｊのいずれかに記載の濃縮界面活性剤組成物。
Ｌ．有機溶媒系が、一価アルコール、二価アルコール、ポリアルキレングリコール、多価アルコール、アルコキシル化グリセリン、アルコキシル化ジオール、及びこれらの組み合わせからなる群から選択される溶媒を含む、段落Ａ〜Ｋのいずれかに記載の濃縮界面活性剤組成物。
Ｍ．有機溶媒系が、グリセリン、エタノール、プロパンジオール、ジエチレングリコール、ジプロピレングリコール、ブタンジオール、及びこれらの組み合わせからなる群から選択される溶媒を含む、段落Ａ〜Ｌのいずれかに記載の濃縮界面活性剤組成物。
Ｎ．有機溶媒系がプロパンジオールを含み、直鎖アルキルベンゼンスルホネート界面活性剤とプロパンジオールとの重量比が約２：１〜約０．４：１である、段落Ａ〜Ｍのいずれかに記載の濃縮界面活性剤組成物。
Ｏ．有機溶媒系がアミノ官能性有機溶媒を実質的に含まない、段落Ａ〜Ｎのいずれかに記載の濃縮界面活性剤組成物。
Ｐ．アルカリ化剤がアルカリ金属水酸化物、好ましくは水酸化ナトリウムである、段落Ａ〜Ｏのいずれかに記載の濃縮界面活性剤組成物。
Ｑ．組成物が０．３〜０．９の予備アルカリ度を有する、段落Ａ〜Ｐのいずれかに記載の濃縮界面活性剤組成物。
Ｒ．組成物が５４０ｎｍで少なくとも８０％の％Ｔを有する、段落Ａ〜Ｑのいずれかに記載の濃縮界面活性剤組成物。
Ｓ．組成物が、２５℃で１０ｓ−１で測定して、約２０００ｃｐｓ未満、又は約１０００ｃｐｓ未満、又は約５００ｃｐｓ未満の粘度を有する、段落Ａ〜Ｒのいずれかに記載の濃縮界面活性剤組成物。
Ｔ．組成物が、２０℃で２週間後及び／又は４０℃で２週間後に単相の等方性溶液として残る、段落Ａ〜Ｓのいずれかに記載の濃縮界面活性剤組成物。
Ｕ．段落Ａ〜Ｔのいずれかに記載の濃縮界面活性剤組成物、及び洗剤補助剤、を含む、洗剤組成物。
Ｖ．補助剤が、追加の界面活性剤、構造化剤、ビルダー、布地柔軟剤、ポリマー又はオリゴマー、酵素、酵素安定剤、漂白剤系、光沢剤、色相剤、キレート剤、泡抑剤、コンディショニング剤、保湿剤、香料、香料マイクロカプセル、充填剤又は担体、アルカリ性系、ｐＨ調整系、緩衝剤、アルカノールアミン、及びこれらの混合物からなる群から選択される、段落Ｕに記載の洗剤組成物。
Ｗ．当該洗剤組成物が、液体洗濯洗剤、ゲル洗剤、液体手洗い食器洗い組成物、洗濯前処理製品、及びこれらの混合物からなる群から選択される形態を有する、段落Ｕ〜Ｖのいずれかに記載の洗剤組成物。
Ｘ．濃縮界面活性剤組成物の製造プロセスであって、アルキルアルコキシル化サルフェート界面活性剤、直鎖アルキルベンゼンスルホネート界面活性剤、有機溶媒系、アルカリ化剤、及び水を準備するステップと、以下の成分を以下の割合で組み合わせて濃縮界面活性剤組成物を形成するステップと、を含むプロセス：組成物の約３０重量％〜約５１重量％のアルキルアルコキシル化サルフェート界面活性剤、組成物の約２重量％〜約２１重量％の直鎖アルキルベンゼンスルホネート界面活性剤、組成物の約１５重量％〜約２４重量％の有機溶媒系、組成物の約０．５重量％〜約５．５重量％のアルカリ化剤、及び残部水。
Ｙ．組成物の約３０重量％〜約５１重量％のアルキルアルコキシル化サルフェート界面活性剤と、組成物の約２重量％〜約２１重量％の直鎖アルキルベンゼンスルホネート界面活性剤と、組成物の約１５重量％〜約２４重量％の有機溶媒系と、（任意選択で、組成物が約４５％〜約６０％の全界面活性剤を含む場合）、組成物の約０．５重量％〜約５．５重量％のアルカリ化剤と、水と、から本質的になる濃縮界面活性剤組成物を準備するステップと、濃縮界面活性剤組成物を少なくとも１種の補助剤と組み合わせて洗剤組成物を形成するステップと、を含む、液体又はゲル状洗剤組成物の製造プロセス。
Ｚ．濃縮界面活性剤組成物を準備するステップが、第１の位置で濃縮界面活性剤組成物を調製するステップと、濃縮界面活性剤組成物を第２の位置に輸送するステップと、を含み、組み合わせるステップが第２の位置で行われる、段落Ｙに記載のプロセス。
ＡＡ．組成物の約３０重量％〜約５１重量％のアルキルアルコキシル化サルフェート界面活性剤と、組成物の約２重量％〜約２１重量％の直鎖アルキルベンゼンスルホネート界面活性剤と、組成物の約１５重量％〜約２４重量％の有機溶媒系と、組成物の約０．５重量％〜約５．５重量％のアルカリ化剤と、水と、を含む濃縮界面活性剤組成物であって、２種以下、又は１種以下、の追加の成分を含む濃縮界面活性剤組成物。
ＡＢ．組成物が、ポリアルキレンイミン（ＰＥＩ）ポリマー、好ましくはアルコキシル化ＰＥＩを更に含む、段落ＡＡに記載の濃縮界面活性剤組成物。
ＡＣ．組成物が０．３〜０．９の予備アルカリ度を有する、段落ＡＡ又はＡＢに記載の濃縮界面活性剤組成物。
ＡＤ．組成物が、２５℃で１０ｓ−１で測定して、約２０００ｃｐｓ未満、又は約１０００ｃｐｓ未満、又は約５００ｃｐｓ未満の粘度を有する、段落ＡＡ〜ＡＤのいずれかに記載の濃縮界面活性剤組成物。
ＡＥ．組成物の約４５重量％〜約６０重量％の界面活性剤系であって、組成物の約３０重量％〜約５１重量％のナトリウム中和アルキルアルコキシル化サルフェート界面活性剤と、組成物の約２重量％〜約２１重量％のナトリウム中和直鎖アルキルベンゼンスルホネート界面活性剤と、を含む界面活性剤系と、組成物の約１５重量％〜約２４重量％の有機溶媒系と、任意選択で、好ましくは組成物の約０．１重量％〜約１重量％の量で存在する、ナトリウム含有アルカリ化剤と、水と、から本質的になる濃縮界面活性剤組成物。
ＡＦ．組成物は、組成物の約３２重量％〜約５１重量％のナトリウム中和アルキルアルコキシル化サルフェート界面活性剤を含み、及び任意選択で、組成物は、組成物の約４５重量％〜約６０重量％の全界面活性剤を含む、等方性濃縮界面活性剤組成物を形成するのに必要な有機溶媒の量を低減させるための直鎖アルキルベンゼンスルホネート界面活性剤の使用。
【００８７】
試験方法
粘度
粘度は、製造業者の指示に従って、ＴＡ  Ｉｎｓｔｒｕｍｅｎｔｓ製のＡＲ  Ｇ２  ＲｈｅｏｍｅｔｅｒなどのＲｈｅｏｍｅｔｅｒで測定される。２５℃の一定温度で４０ｍｍ平行プレートを使用して、粘度を測定する。１〜１００ｓ−１の剪断速度は、１０あたり５点の対数スケールで測定される。
【００８８】
パーセント透過率
パーセント透過率は、Ｂｅｃｋｍａｎ  Ｃｏｕｌｔｅｒ  ＤＵ（登録商標）８００などの紫外可視分光計を用いて測定される。標準の１０ｍｍ光路長キュベットを試料測定に使用し、脱イオン水ブランクと比較する。サンプルは、染料及び／又は乳白剤の非存在下で、室温（２０±２℃）で測定される。
【００８９】
ｐＨ
特に明記しない限り、組成物のｐＨは、２０±２℃における組成物の１０％水性溶液（重量／体積）のｐＨとして定義される。ｐＨを±０．０１ｐＨ単位まで測定することができる任意の計測器が好適である。Ｏｒｉｏｎ  ｍｅｔｅｒｓ（Ｔｈｅｒｍｏ  Ｓｃｉｅｎｔｉｆｉｃ，Ｃｌｉｎｔｉｎｐａｒｋ−Ｋｅｐｐｅｋｏｕｔｅｒ，Ｎｉｎｏｖｅｓｔｅｅｎｗｅｇ  １９８，９３２０  Ｅｒｅｍｂｏｄｅｇｅｍ−Ａａｌｓｔ，Ｂｅｌｇｉｕｍ）又は均等物が、許容可能な計器である。ｐＨ計は、カロメル又は銀／塩化銀基準を有する適切なガラス電極を備えていなければならない。例としては、Ｍｅｔｔｌｅｒ  ＤＢ  １１５が挙げられる。電極は、メーカーが推奨する電解質溶液中で保管する必要がある。
【００９０】
洗剤の１０％水溶液は、以下の手順に従って調製される。試料１０±０．０５グラムを±０．０２グラムまで正確に測定できる天秤で計量する。試料は１００ｍＬのメスフラスコへ移されて、精製水（水の導電率が＜５μＳ／ｃｍである限り、脱イオン化された及び／又は蒸留された水が好適である）で容量まで希釈されて、十分に混合される。約５０ｍＬの得られた溶液をビーカーに注ぎ、温度を２０±２℃に調整して、及びｐＨをｐＨ計製造業者の標準的な手順に従って測定する。製造業者の指示書は、ｐＨアセンブリを組み立てて較正するために守られなければならない。
【００９１】
予備アルカリ度
本明細書で使用するとき、「予備アルカリ度」という用語は、洗剤組成物の１％（重量／容量）溶液を塩酸によってｐＨ７．５まで（すなわち、以下で定義するような予備アルカリ度を計算するために）滴定することによって決定される、洗剤組成物（ｇ／ＮａＯＨ／１００ｇ洗剤組成物）の緩衝能の尺度である。
ｇＮａＯＨ／１００ｇ製品における％アルカリとしての予備アルカリ度（ｐＨ７．５まで）＝
Ｔ×Ｍ×４０×容量
１０ｘ重量ｘアリコート
Ｔ＝ｐＨ７．５までの滴定量（ｍＬ）
Ｍ＝ＨＣｌのモル濃度＝０．２
４０＝ＮａＯＨの分子量
容量＝全容量（すなわち、１０００ｍＬ）
Ｗｔ＝製品重量（１０ｇ）
アリコート＝（１００ｍＬ）
【００９２】
完全に配合された洗剤組成物の試料１０ｇを小数点第二位まで正確に量り取る。サンプルは、ダストキャビネット内でパスカルサンプラーを使用して取得する必要がある。１０ｇの試料をプラスチック製ビーカーに加え、２００ｍＬの二酸化炭素フリーの脱イオン水を加える。撹拌用プレート上で磁性撹拌器を使用し完全に溶解するまで少なくとも１５分間１５０ｒｐｍで撹拌する。ビーカーの内容物を、１リットルのメスフラスコに移動し、脱イオン水で１リットルにする。十分に混合し、１００ｍＬピペットを使用して、１００ｍＬ±１ｍＬのアリコートを直ちに取る。±０．０１ｐＨ単位まで読み取り可能なｐＨ計を使用して、攪拌し、温度を２１℃±２℃に確保しつつ、試料のｐＨ及び温度を測定及び記録する。撹拌しながら、ｐＨの測定値が正確に７．５になるまで０．２Ｍ塩酸で滴定する。使用した塩酸のミリリットル数を記録する。同様に３回繰り返した平均滴定量を取る。前述した計算を行い、ｐＨ７．５にするためのＲＡを計算する。
【実施例】
【００９３】
下記の例は、事実上例示的なものであり、制限的であることを意図したものではない。
【００９４】
実施例１．濃縮界面活性剤組成物の製造プロセス。
６０ｇバッチの濃縮アルキルエトキシル化サルフェート（ＡＥＳ）組成物ＡＥＳペーストを所望の濃度に従って以下の添加順序に従って調製する（例えば下記の表Ｂ参照）：酸型直鎖アルキルベンゼンスルホネート（ＨＬＡＳ）（９７％活性）、プロパンジオール（１００％活性）、水、エタノール（９２．４％活性）、ＮａＯＨ（５０％活性）、ＡＥＳ（７０％有効）、次いで、ジエチレングリコール（ＤＥＧ）（１００％活性）。ＮａＯＨ添加後、生成物を３００ＲＰＭで約１分間撹拌し、次いでＡＥＳ及びＤＥＧを添加し、生成物を３００〜５００ＲＰＭで約３分間撹拌する。
【００９５】
実施例２．濃縮界面活性剤組成物の製造プロセス。
エトキシル化アルコールを準備する。エトキシル化アルコールは既知の方法でサルフェート化されてアルキルエトキシル化サルフェート界面活性剤を形成する。この界面活性剤には、以下を中和ループに添加する：有機溶媒、ＬＡＳ、水、及び中和剤。
【００９６】
実施例３．
トライアルＡ及びＢで使用される組成物を、以下の方法で調製した。
６０ｇバッチのＮａＣ４５Ｅ２．５Ｓ  ＡＥＳペーストを以下の添加順序に従って調製した：表中の濃度に従って、ＨＬＡＳ（９７％活性、Ｃ１１．８、Ｓｔｅｐａｎ（Ｎｏｒｔｈｆｉｅｌｄ，ＩＬ））、１，２−プロパンジオール（１００％活性）、水、エタノール（９２．４％活性）、ＮａＣｌ（５０％活性）、ＮａＣ４５Ｅ２．５Ｓ  ＡＥＳ（７０％活性、Ｓｈｅｌｌ  Ｃｈｅｍｉｃａｌｓ（Ｈｏｕｓｔｏｎ，ＴＸ）製Ｎｅｏｄｏｌ  ４５Ｅ２．５）、次いでジエチレングリコール（１００％活性）。全ての成分は、１００％活性物質として示され、表中のＨＬＡＳのＮａＯＨ中和を説明する。ＮａＯＨを添加した後、ＡＥＳ及びジエチレングリコールを添加する前に、反応生成物を３００ＲＰＭで約１分間撹拌し、その後、反応生成物を３００〜５００ＲＰＭで約３分間撹拌した。サンプルを６０℃のオーブンに２時間入れた後、２つの３０グラム部分に分割し、２０℃及び４０℃の恒温室に入れた。サンプルを物理的安定性について視覚的に及び交差偏光顕微鏡法を介して評価して、相の数及び相の同一性を決定した。典型的には、透明で流動性の組成物が好ましい。
【００９７】
トライアルＡ：有機溶媒との比較組成物
表Ａに示すように、結果は、ＮａＣ４５Ｅ２．５Ｓ  ＡＥＳペースト中にＨＬＡＳが存在しない場合、１，２−プロパンジオール、ジエチレングリコール及びエタノールからなる少なくとも２１．１％の全有機溶媒が、２０℃で２週間保存した後に、透明な、等方性の、流動性のペーストを達成するために必要とされることを示す。明確にするために、相境界の縁部における組成物のみが示されている。
【００９８】
【表１】
2020502334.tif 000003
【００９９】
トライアルＢ：ＬＡＳを有する本開示に係る組成物
トライアルＢに示すように、結果は、ＮａＣ４５Ｅ２．５Ｓ  ＡＥＳペースト中にＬＡＳが存在する場合、２０℃で２週間保管後に、透明な、等方性の、流動性のペーストを達成するのに必要とされる有機溶媒の濃度を、５．１又は７．７％ＬＡＳの場合、１５．０％に低減させることができ、有機溶媒の濃度の顕著な低減を示す。有機溶媒は、１，２−プロパンジオール及びエタノールを含む。明確にするために、相境界の縁部における組成物のみが示されている。
【０１００】
【表２】
2020502334.tif 000004
【０１０１】
実施例４．
トライアルＣ及びＤで使用される組成物を、以下の方法で調製した。
６０ｇバッチのＣ２５Ｅ１．８Ｓ  ＡＥＳペーストを、以下の添加順序に従って調製し、表中の濃度を得た：ＨＬＡＳ（９７％活性）、１，２−プロパンジオール（１００％活性）、水、エタノール（９２．４％活性）、ＮａＯＨ（５０％活性）、次いでＣ２５Ｅ１．８Ｓ  ＡＥＳ（７９％活性）。全ての成分は１００％活性として示され、表中のＨＬＡＳのＮａＯＨ中和を説明する。ＮａＯＨ添加後、ＡＥＳを添加する前に、反応生成物を３００ＲＰＭで約１分間撹拌し、その後、反応生成物を３００〜５００ＲＰＭで約３分間撹拌した。サンプルを６０℃のオーブンに２時間入れ、次いで４０℃の恒温室に１５日間移した。サンプルを視覚的に評価し、交差偏光顕微鏡を介して、相の数及び同一性を決定した。次いで、サンプルを２０℃の恒温室内に更に１５日間入れ、次いで同様の方法で安定性について評価した。
【０１０２】
トライアルＣ：有機溶媒との比較組成物
表Ｃに示すように、結果は、ＮａＣ２５Ｅ１．８Ｓ  ＡＥＳペースト中にＨＬＡＳが存在しない場合、１，２−プロパンジオール及びエタノールからなる少なくとも１９．０％の総有機溶媒が、２０℃で２週間保存した後に、透明な、等方性の、流動性のペーストを達成するために必要とされることを示す。明確にするために、相境界の縁部の組成物のみが示されている。
【０１０３】
【表３】
2020502334.tif 000005
【０１０４】
トライアルＤ：ＨＬＡＳを有する本開示に係る組成物
表Ｄに示すように、結果は、ＮａＣ２５Ｅ１．８Ｓ  ＡＥＳペースト中にＬＡＳが存在する場合、２０℃で２週間保管後に、透明な、等方性の、流動性のペーストを達成するのに必要とされる有機溶媒の濃度を、１０．３又は１５．４％ＨＬＡＳの場合、１３．０％に低減させることができ、有機溶媒の濃度の顕著な低減を示す。有機溶媒は、１，２−プロパンジオール及びエタノールを含む。明確にするために、相境界の縁部における組成物のみが示されている。
【０１０５】
【表４】
2020502334.tif 000006
【０１０６】
実施例５．ヘビーデューティ液体洗濯洗剤組成物。
表Ｅに示すように、本開示に係る濃縮界面活性剤組成物を使用して、以下の式に従うヘビーデューティ液体洗濯洗剤組成物を製造する。
【０１０７】
【表５】
2020502334.tif 000007
＊洗浄及び／又は処理組成物の総重量に基づく
全ての酵素濃度は、酵素原材料の％として表される。
【０１０８】
実施例６．単位用量組成物。
本開示に係る濃縮界面活性剤組成物を使用して、本発明の単位用量洗濯洗剤配合物を製造し、以下に提供する。そのような単位用量配合物は、水溶性ポリビニルアルコールフィルム（例えば、ＭｏｎｏＳｏｌ  ＬＬＣ（Ｉｎｄｉａｎａ、ＵＳＡ））から形成された１つ又は複数の区画を含むことができる。
【０１０９】
【表６】
2020502334.tif 000008
【０１１０】
実施例７．液体洗濯洗剤添加剤配合物。
表Ｇに示されるように、本開示に係る濃縮界面活性剤組成物は、漂白剤及び添加剤洗剤配合物を製造するのに使用される。
【０１１１】
【表７】
2020502334.tif 000009
＊他の任意選択剤／成分としては、抑泡剤、硬化ヒマシ油（好ましくは硬化ヒマシ油、アニオン性プレミックス）に基づくものなどの構造化剤、溶媒及び／又は雲母真珠光沢審美性向上剤が挙げられる。全ての酵素濃度は、酵素原材料の％として表される。
【０１１２】
実施例の原材料
ＬＡＳは、Ｓｔｅｐａｎ（Ｎｏｒｔｈｆｉｅｌｄ，Ｉｌｌｉｎｏｉｓ，ＵＳＡ）又はＨｕｎｔｓｍａｎ  Ｃｏｒｐにより供給される、平均脂肪族炭素鎖長がＣ１１〜Ｃ１２の線状アルキルベンゼンスルホネートである。ＨＬＡＳは、酸形態である。
ＡＥＳは、Ｓｔｅｐａｎ（Ｎｏｒｔｈｆｉｅｌｄ，Ｉｌｌｉｎｏｉｓ，ＵＳＡ）又はＳｈｅｌｌ  Ｃｈｅｍｉｃａｌｓ（Ｈｏｕｓｔｏｎ，ＴＸ，ＵＳＡ）により供給される、Ｃ１２〜１４アルキルエトキシ（３）サルフェート、Ｃ１２〜１５アルキルエトキシ（１．８）サルフェート、Ｃ１４〜１５アルキルエトキシ（２．５）サルフェートである。
ＡＥは、平均エトキシル化度が６．５のＣ１２〜１３、平均エトキシル化度が７のＣ１１〜１６、平均エトキシル化度が７のＣ１２〜１４、平均エトキシル化度が７のＣ１４−１５、又は平均エトキシル化度が９のＣ１２〜１４から選択され、全てＨｕｎｔｓｍａｎ（Ｓａｌｔ  Ｌａｋｅ  Ｃｉｔｙ，Ｕｔａｈ，ＵＳＡ）により供給される。
ＡＳは、Ｓｔｅｐａｎ（Ｎｏｒｔｈｆｉｅｌｄ，Ｉｌｌｉｎｏｉｓ，ＵＳＡ）により供給されるＣ１２〜１４サルフェートである。
ＨＳＡＳは、米国特許第６，０２０，３０３号及び同第６，０６０，４４３号に開示されているような中鎖分枝アルキルサルフェートである。
Ｃ１２〜１４ジメチルヒドロキシエチルアンモニウムクロリドは、Ｃｌａｒｉａｎｔ  ＧｍｂＨ（Ｇｅｒｍａｎｙ）により供給される。
Ｃ１２〜１４ジメチルアミンオキシドは、Ｐｒｏｃｔｅｒ＆Ｇａｍｂｌｅ  Ｃｈｅｍｉｃａｌｓ（Ｃｉｎｃｉｎｎａｔｉ，ＵＳＡ）により供給される。
アクリル酸／マレイン酸コポリマーは、分子量７０，０００であり、アクリレート：マレアート比７０：３０である（ＢＡＳＦ（Ｌｕｄｗｉｇｓｈａｆｅｎ，Ｇｅｒｍａｎｙ）から供給される）。
ＰＥＧ−ＰＶＡｃポリマーは、ポリエチレンオキシド主鎖及び複数のポリ酢酸ビニル側鎖を有する、ポリ酢酸ビニルグラフト化ポリエチレンオキシドコポリマーである。ポリエチレンオキシド主鎖の分子量は、約６０００であり、ポリエチレンオキシドとポリビニルアセテートとの重量比は、約４０〜６０であり、５０エチレンオキシド単位当たり１グラフト点を超えない。ＢＡＳＦ（Ｌｕｄｗｉｇｓｈａｆｅｎ，Ｇｅｒｍａｎｙ）より入手可能である。
エトキシル化ポリエチレンイミンは、−ＮＨ当たり２０個のエトキシレート基を有する、分子量６００ｇ／ｍｏｌのポリエチレンイミンコアである。ＢＡＳＦ（Ｌｕｄｗｉｇｓｈａｆｅｎ，Ｇｅｒｍａｎｙ）から入手可能である。
双性イオン性エトキシル化四級化サルフェート化ヘキサメチレンジアミンは、国際公開第０１／０５８７４号に記載され、ＢＡＳＦ（Ｌｕｄｗｉｇｓｈａｆｅｎ，Ｇｅｒｍａｎｙ）から入手可能である。
グリース洗浄アルコキシル化ポリアルキレンイミンポリマーは、−ＮＨ当たり２４個のエトキシレート基と−ＮＨ当たり１６個のプロポキシレート基とを有する、分子量６００ｇ／ｍｏｌのポリエチレンイミンコアである。ＢＡＳＦ（Ｌｕｄｗｉｇｓｈａｆｅｎ，Ｇｅｒｍａｎｙ）から入手可能である。
カルボキシメチルセルロースは、ＣＰ  Ｋｅｌｃｏ（Ａｒｎｈｅｍ，Ｎｅｔｈｅｒｌａｎｄｓ）により供給されるＦｉｎｎｆｉｘ（登録商標）Ｖである。
アミラーゼ（Ｎａｔａｌａｓｅ（登録商標）、Ｓｔａｉｎｚｙｍｅ（登録商標）、Ｓｔａｉｎｚｙｍｅ  Ｐｌｕｓ（登録商標））は、Ｎｏｖｏｚｙｍｅｓ（Ｂａｇｓｖａｅｒｄ，Ｄｅｎｍａｒｋ）により供給され得る。
Ｓａｖｉｎａｓｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）は、全てＮｏｖｏｚｙｍｅｓ（Ｂａｇｓｖａｅｒｄ，Ｄｅｎｍａｒｋ）の製品である。
プロテアーゼは、Ｇｅｎｅｎｃｏｒ  Ｉｎｔｅｒｎａｔｉｏｎａｌ（Ｐａｌｏ  Ａｌｔｏ（Ｃａｌｉｆｏｒｎｉａ，ＵＳＡ））（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））により供給されるものであってよい。
好適な蛍光増白剤は、例えばＴｉｎｏｐａｌ（登録商標）ＴＡＳ、Ｔｉｎｏｐａｌ（登録商標）ＡＭＳ、Ｔｉｎｏｐａｌ（登録商標）ＣＢＳ−Ｘ、スルホン化亜鉛フタロシアニンであり、ＢＡＳＦ，Ｌｕｄｗｉｇｓｈａｆｅｎ，Ｇｅｒｍａｎｙから入手可能である。
キレート剤は、Ｄｏｗ  Ｃｈｅｍｉｃａｌ（Ｍｉｄｌａｎｄ，Ｍｉｃｈｉｇａｎ，ＵＳＡ）により供給されるジエチレンテトラアミン五酢酸（ＤＴＰＡ）、Ｓｏｌｕｔｉａ（Ｓｔ  Ｌｏｕｉｓ，Ｍｉｓｓｏｕｒｉ，ＵＳＡ）により供給されるヒドロキシエタンジホスホネート（ＨＥＤＰ）；Ｏｃｔｅｌ（Ｅｌｌｅｓｍｅｒｅ  Ｐｏｒｔ，ＵＫ）により供給されるエチレンジアミン−Ｎ，Ｎ’−ジコハク酸、（Ｓ，Ｓ）異性体（ＥＤＤＳ）、Ｔｈｅｒｍｐｈｏｓにより供給されるジエチレントリアミンペンタメチレンホスホン酸（ＤＴＰＭＰ）、又はＦｕｔｕｒｅ  Ｆｕｅｌｓ  Ｂａｔｅｓｖｉｌｌｅ（Ａｒｋａｎｓａｓ，ＵＳＡ）により供給される１，２−ジヒドロキシベンゼン−３，５−ジスルホン酸から選択される。
色相剤は、ＢＡＳＦ（Ｌｕｄｗｉｇｓｈａｆｅｎ，Ｇｅｒｍａｎｙ）により供給されるダイレクトバイオレット９又はダイレクトバイオレット９９である。
汚れ遊離剤は、Ｒｈｏｄｉａ（Ｐａｒｉｓ，Ｆｒａｎｃｅ）によって供給されるＲｅｐｅｌ−ｏ−ｔｅｘ（登録商標）ＰＦ、又はＣｌａｒｉａｎｔから入手可能なＳＲＮ２４０である。
抑泡剤疑集体は、Ｄｏｗ  Ｃｏｒｎｉｎｇ（Ｍｉｄｌａｎｄ，Ｍｉｃｈｉｇａｎ，ＵＳＡ）により供給される。
Ａｃｕｓｏｌ８８０は、Ｄｏｗ  Ｃｈｅｍｉｃａｌ（Ｍｉｄｌａｎｄ，Ｍｉｃｈｉｇａｎ，ＵＳＡ）により供給される。
【０１１３】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０１１４】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１１５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【国際調査報告】
2020502334.tif 000010
2020502334.tif 000011
2020502334.tif 000012